(57)【要約】      （修正有）【課題】パラメータの異なる二つのモードに対応して、供給電圧が可変な電力増幅システムを提供する。【解決手段】電力増幅システム１００は、電力増幅器１３０と、当該電力増幅器１３０に供給電圧を与えるべく構成されたブースト変換器１２２とを含む。電力増幅システム１００は、電力増幅器１３０に関連付けられたパラメータに基づいて供給電圧を調整するブースト変換器制御信号をブースト変換器１２２に与える制御システム１１０を含む。【選択図】図４
2018160925.tif 000002
【特許請求の範囲】
【請求項１】
電力増幅システムであって、
電力増幅器と、
前記電力増幅器に供給電圧を与えるべく構成されたブースト変換器と、
前記電力増幅器に関連付けられたパラメータに基づいて前記供給電圧を調整するブースト変換器制御信号を前記ブースト変換器に与えるべく構成された制御システムと
を含む電力増幅システム。
【請求項２】
前記パラメータは、前記電力増幅器のセンスされた条件を含む請求項１の電力増幅システム。
【請求項３】
前記制御システムは、前記電力増幅器のセンスされた条件を検出するべく構成される請求項２の電力増幅システム。
【請求項４】
前記制御システムは、前記電力増幅器のセンスされた条件を示す信号を受信するべく構成される請求項２の電力増幅システム。
【請求項５】
前記制御システムは、前記電力増幅器のセンスされた条件に基づく信号を受信するべく構成される請求項２の電力増幅システム。
【請求項６】
前記ブースト変換器制御信号は、基準電圧、デルタ信号又はイネーブル信号の少なくとも一つを含む請求項１の電力増幅システム。
【請求項７】
前記ブースト変換器は、基準電圧の増加に応答して前記供給電圧を、前記供給電圧を増加させることにより調整するべく構成される請求項６の電力増幅システム。
【請求項８】
前記供給電圧の増加により、前記電力増幅器のための付加的なヘッドルームが得られる請求項７の電力増幅システム。
【請求項９】
前記ブースト変換器は、前記デルタ信号に応答して前記供給電圧を、前記供給電圧をプリセット量だけ増加させることにより調整するべく構成される請求項６の電力増幅システム。
【請求項１０】
前記制御システムはさらに、前記電力増幅器に電力増幅器制御信号を与えるべく構成される請求項１の電力増幅システム。
【請求項１１】
前記電力増幅器制御信号は、バイアス電圧又はイネーブル信号の少なくとも一つを含む請求項１０の電力増幅システム。
【請求項１２】
前記パラメータは前記電力増幅器の動作モードを含み、
前記ブースト変換器制御信号は、前記動作モードをサポートする前記ブースト変換器に与えられる請求項１の電力増幅システム。
【請求項１３】
前記動作モードは線形性増加モードを含む請求項１２の電力増幅システム。
【請求項１４】
前記線形性増加モードは、高電圧モード又は高出力電力モードの少なくとも一つを含む請求項１３の電力増幅システム。
【請求項１５】
前記ブースト変換器は電池電圧により電力を受け、
前記供給電圧は前記電池電圧よりも大きい請求項１の電力増幅システム。
【請求項１６】
無線周波数（ＲＦ）モジュールであって、
複数のコンポーネントを受容するべく構成されたパッケージング基板と、
前記パッケージング基板に実装された電力増幅システムと
を含み、
前記電力増幅システムは、
電力増幅器と、
電力増幅器に供給電圧を与えるべく構成されたブースト変換器と
を含み、
前記電力増幅システムはさらに、前記電力増幅器に関連付けられたパラメータに基づいて前記供給電圧を調整するブースト変換器制御信号を前記ブースト変換器に与えるべく構成された制御システムを含むＲＦモジュール。
【請求項１７】
前記ＲＦモジュールはフロントエンドモジュール（ＦＥＭ）である請求項１６のＲＦモジュール。
【請求項１８】
無線デバイスであって、
無線周波数（ＲＦ）信号を発生させるべく構成された送受信器と、
前記送受信器と通信するフロントエンドモジュール（ＦＥＭ）と、
前記ＦＥＭと通信するアンテナと
を含み、
前記ＦＥＭは、複数のコンポーネントを受容するべく構成されたパッケージング基板を含み、
前記ＦＥＭはさらに、前記パッケージング基板に実装された電力増幅システムを含み、
前記電力増幅システムは、前記ＲＦ信号を増幅するべく構成された電力増幅器を含み、
前記電力増幅システムはさらに、前記電力増幅器に供給電圧を与えるべく構成されたブースト変換器を含み、
前記電力増幅システムはさらに、前記電力増幅器に関連付けられたパラメータに基づいて前記供給電圧を調整するブースト変換器制御信号を前記ブースト変換器に与えるべく構成された制御システムを含み、
前記アンテナは、増幅されたＲＦ信号を送信するべく構成される無線デバイス。
【請求項１９】
前記制御システムは、前記電力増幅器のセンスされた条件を検出し、前記センスされた条件に基づいて前記ブースト変換器制御信号を発生させるべく構成される請求項１８の無線デバイス。
【請求項２０】
前記送受信器は、前記電力増幅器のセンスされた条件を示す信号を受信し、前記センスされた条件に基づく送受信器制御信号を前記制御システムへと送信するべく構成され、
前記制御システムは、前記送受信器制御信号に基づいて前記ブースト変換器制御信号を発生させるべく構成される請求項１８の無線デバイス。
【発明の詳細な説明】
【技術分野】
【０００１】
本開示は一般に、電力増幅システムに関する。
【０００２】
関連出願の相互参照
本願は、２０１５年２月１５日出願の「ブーストされた供給を使用するプログラム可能電力増幅器性能」との名称の米国仮出願第６２／１１６，４５９号の優先権を主張する。その開示は全体が、ここに明示的に参照として組み入れられる。
【背景技術】
【０００３】
電力増幅システムは、供給電圧を与える電圧供給システムによって電力を受けることができる。供給電圧は、電圧供給システムに供給される電池電圧から引き出すことができるが当該電池電圧とは異なり得る。理想的には、電力増幅器供給電圧は、例えば、大まかには１０ボルト（Ｖ）から１Ｖまでの２０ｄＢ窓にわたる平均出力電力に追従するべきである。ほぼ３．８Ｖの公称電池電圧（Ｖｂａｔｔ）であれば、Ｖｂａｔｔよりも大きな供給電圧を発生させるべくブースト機能を利用することができ、Ｖｂａｔｔ未満の供給電圧を発生させるべくバック（ｂｕｃｋ）機能を利用することができる。
【発明の概要】
【０００４】
いくつかの実装によれば、本開示は電力増幅システムに関する。電力増幅システムは、電力増幅器と、当該電力増幅器に供給電圧を与えるべく構成されたブースト変換器とを含む。電力増幅システムは、電力増幅器に関連付けられたパラメータに基づいて供給電圧を調整するブースト変換器制御信号をブースト変換器に与えるべく構成された制御システムを含む。
【０００５】
いくつかの実施形態において、パラメータは、電力増幅器のセンスされた条件を含み得る。いくつかの実施形態において、制御システムは、電力増幅器のセンスされた条件を検出するべく構成することができる。いくつかの実施形態において、制御システムは、電力増幅器のセンスされた条件を示す信号を受信するべく構成することができる。いくつかの実施形態において、制御システムは、電力増幅器のセンスされた条件に基づく信号を受信するべく構成することができる。
【０００６】
いくつかの実施形態において、ブースト変換器制御信号は、基準電圧、デルタ信号又はイネーブル信号の少なくとも一つを含み得る。いくつかの実施形態において、ブースト変換器は、基準電圧の増加に応答して供給電圧を、当該供給電圧の増加により調整するべく構成することができる。いくつかの実施形態において、供給電圧の増加により、電力増幅器のための付加的なヘッドルームが得られる。いくつかの実施形態において、ブースト変換器は、デルタ信号に応答して供給電圧を、当該供給電圧をプリセット量だけ増加させることにより調整するべく構成することができる。
【０００７】
いくつかの実施形態において、制御システムはさらに、電力増幅器に電力増幅器制御信号を与えるべく構成することができる。いくつかの実施形態において、電力増幅器制御信号は、バイアス電圧又はイネーブル信号の少なくとも一つを含み得る。
【０００８】
いくつかの実施形態において、パラメータは電力増幅器の動作モードを含み、ブースト変換器制御信号は、当該動作モードをサポートするブースト変換器に与えられ得る。いくつかの実施形態において、動作モードは、線形性増加モードを含み得る。いくつかの実施形態において、線形性増加モードは、高電圧モード又は高出力電力モードの少なくとも一方とすることができる。
【０００９】
いくつかの実施形態において、ブースト変換器は電池電圧により電力を受けることができ、供給電圧は当該電池電圧よりも大きくなり得る。
【００１０】
いくつかの実装において、本開示は、複数のコンポーネントを受容するべく構成されたパッケージング基板を含む無線周波数（ＲＦ）モジュールに関する。ＲＦモジュールは、パッケージング基板に実装された電力増幅システムを含む。電力増幅システムは、電力増幅器と、当該電力増幅器に供給電圧を与えるべく構成されたブースト変換器とを含む。電力増幅システムはさらに、電力増幅器に関連付けられたパラメータに基づいて供給電圧を調整するブースト変換器制御信号をブースト変換器に与えるべく構成された制御システムを含む。
【００１１】
いくつかの実施形態において、ＲＦモジュールは、フロントエンドモジュール（ＦＥＭ）とすることができる。
【００１２】
いくつかの実装において、本開示は、無線周波数（ＲＦ）信号を発生させるべく構成された送受信器を含む無線デバイスに関する。無線デバイスは、送受信器と通信するフロントエンドモジュール（ＦＥＭ）を含む。ＦＥＭは、複数のコンポーネントを受容するべく構成されたパッケージング基板を含む。ＦＥＭは、パッケージング基板に実装された電力増幅システムを含む。電力増幅システムは、ＲＦ信号を増幅するべく構成された電力増幅器を含む。電力増幅システムはさらに、電力増幅器に供給電圧を与えるべく構成されたブースト変換器を含む。電力増幅システムはさらに、電力増幅器に関連付けられたパラメータに基づいて供給電圧を調整するブースト変換器制御信号をブースト変換器に与えるべく構成された制御システムを含む。無線デバイスは、ＦＥＭと通信するアンテナを含む。アンテナは、増幅されたＲＦ信号を送信するべく構成される。
【００１３】
いくつかの実施形態において、制御システムは、電力増幅器のセンスされた条件を検出し、当該センスされた条件に基づいてブースト変換器制御信号を発生させるべく構成することができる。
【００１４】
いくつかの実施形態において、送受信器は、電力増幅器のセンスされた条件を示す信号を受信し、当該センスされた条件に基づく送受信器制御信号を制御システムへと送信するべく構成することができる。制御システムは、送受信器制御信号に基づいてブースト変換器制御信号を発生させるべく構成することができる。
【００１５】
本開示を要約する目的で本発明の一定の側面、利点及び新規な特徴がここに記載された。理解すべきことだが、かかる利点のすべてが必ずしも、本発明の任意の特定実施形態によって達成できるわけではない。すなわち、本発明は、ここに教示される一の利点又は一群の利点を、ここに教示又は示唆される他の利点を必ずしも達成することなく、達成又は最適化する態様で具体化又は実施をすることができる。
【図面の簡単な説明】
【００１６】
【図１】代表的な無線システム又はアーキテクチャを示す。
【図２】いくつかの実装において、増幅器システムが一以上の電力増幅器を有する無線周波数（ＲＦ）増幅器アセンブリを含み得ることを示す。
【図３】図３Ａ〜３Ｅは、電力増幅器の非制限的な例を示す。
【図４】ブースト変換器を含む電力増幅システムのブロック図を例示する。
【図５】ＳＭＰＳブースト変換器からのブーストされた出力電圧が基準電圧に比例し得る態様の一例を示す。
【図６】ブースト変換器からの可変供給電圧によってコレクタ供給電圧の制約が除去され又は実質的に緩和され得る態様の一例を示す。
【図７】対応電力増幅器に対する所望の結果を達成するようにブースト変換器を動作させるべく実装可能なプロセスを示す。
【図８】センスされた電力増幅器条件に応答して実行されるように実装可能なプロセスを示す。
【図９】図７のプロセスの具体例として実装可能なプロセスを示す。
【図１０】線形性制御の代表的な文脈において図９のプロセスの具体例として実装可能なプロセスを示す。
【図１１】ここに記載される一以上の特徴を有するモジュールを描く。
【図１２】ここに記載される一以上の特徴を有する無線デバイスを描く。
【発明を実施するための形態】
【００１７】
ここに与えられる見出しは、たとえあったとしても、便宜のみのためであって、必ずしも請求項に係る発明の範囲又は意味に影響するわけではない。
【００１８】
図１を参照すると、本開示の一以上の特徴は一般に、増幅システム５２を有する無線システム又はアーキテクチャ５０に関する。いくつかの実施形態において、増幅システム５２は、一以上のデバイスとして実装可能である。かかるデバイスは、無線システム／アーキテクチャ５０において利用可能である。いくつかの実施形態において、無線システム／アーキテクチャ５０は例えば、携帯型無線デバイスに実装可能である。かかる無線デバイスの例がここに記載される。
【００１９】
図２は、図１の増幅システム５２が典型的に、一以上電力増幅器（ＰＡ）を有する無線周波数（ＲＦ）増幅器アセンブリ５４を含むことを示す。図２の例において、３つのＰＡ６０ａ〜６０ｃが、ＲＦ増幅器アセンブリ５４を形成するように描かれる。理解されることだが、他の数のＰＡ（複数可）も実装可能である。またも理解されることだが、本開示の一以上の特徴は、他のタイプのＲＦ増幅器を有するＲＦ増幅器アセンブリにも実装可能である。
【００２０】
いくつかの実施形態において、ＲＦ増幅器アセンブリ５４は一以上の半導体ダイに実装可能である。かかるダイは、電力増幅器モジュール（ＰＡＭ）又はフロントエンドモジュール（ＦＥＭ）のようなパッケージモジュールに含めることができる。かかるパッケージモジュールは典型的に、例えば携帯型無線デバイスに関連付けられた回路基板に搭載される。
【００２１】
増幅システム５２におけるＰＡ（例えば６０ａ〜６０ｃ）は典型的に、バイアスシステム５６によってバイアスがかけられる。さらに、ＰＡのための供給電圧は典型的に、供給システム５８によって与えることができる。いくつかの実施形態において、バイアスシステム５６及び供給システム５８のいずれか又は双方は、ＲＦ増幅器アセンブリ５４を有する上記パッケージモジュールに含めることができる。
【００２２】
いくつかの実施形態において、増幅システム５２は整合ネットワーク６２を含み得る。かかる整合ネットワークは、ＲＦ増幅器アセンブリ５４のための入力整合及び／又は出力整合機能を与えるべく構成することができる。
【００２３】
説明目的のため理解されることだが、図２の各ＰＡ（６０）は、一定数の態様で実装可能である。図３Ａ〜３Ｅは、かかるＰＡが構成され得る態様についての非制限的な例を示す。図３Ａは、増幅トランジスタ６４を有する代表的なＰＡを示す。ここで、入力ＲＦ信号（ＲＦ＿ｉｎ）がトランジスタ６４のベースへと与えられ、増幅されたＲＦ信号（ＲＦ＿ｏｕｔ）がトランジスタ６４のコレクタを介して出力される。
【００２４】
図３Ｂは、複数段に配列された複数の増幅トランジスタ（例えば６４ａ、６４ｂ）を有する代表的なＰＡを示す。入力ＲＦ信号（ＲＦ＿ｉｎ）は、第１トランジスタ６４ａのベースへと与えられ、第１トランジスタ６４ａからの増幅されたＲＦ信号は、そのコレクタを介して出力される。第１トランジスタ６４ａからの増幅されたＲＦ信号は、第２トランジスタ６４ｂのベースへと与えられ、第２トランジスタ６４ｂからの増幅されたＲＦ信号は、そのコレクタを介して出力され、ひいてはＰＡの出力ＲＦ信号（ＲＦ＿ｏｕｔ）がもたらされる。
【００２５】
いくつかの実施形態において、図３Ｂの上記代表的なＰＡ構成は、図３Ｃに示されるように２以上の段として描くことができる。第１段６４ａは例えばドライバ段として構成し、第２段６４ｂは例えば出力段として構成することができる。
【００２６】
図３Ｄは、いくつかの実施形態において、ＰＡがドハティＰＡとして構成できることを示す。かかるドハティＰＡは、増幅された出力ＲＦ信号（ＲＦ＿ｏｕｔ）をもたらすように、入力ＲＦ信号（ＲＦ＿ｉｎ）のキャリア増幅及びピーキング増幅を与えるべく構成された増幅トランジスタ６４ａ、６４ｂを含み得る。入力ＲＦ信号は、分割器によりキャリア部分及びピーキング部分に分割することができる。増幅されたキャリア信号及びピーキング信号は、結合器により出力ＲＦ信号を与えるべく結合することができる。
【００２７】
図３Ｅは、いくつかの実施形態において、ＰＡがカスコード構成で実装できることを示す。入力ＲＦ信号（ＲＦ＿ｉｎ）は、エミッタ共通デバイスとして動作する第１増幅トランジスタ６４ａのベースに与えることができる。第１増幅トランジスタ６４ａの出力は、そのコレクタを介して与え、かつ、ベース共通デバイスとして動作する第２増幅トランジスタ６４ｂのエミッタへと与えることができる。第２増幅トランジスタ６４ｂの出力は、ＰＡの増幅された出力ＲＦ信号（ＲＦ＿ｏｕｔ）をもたらすべく、そのコレクタを介して与えることができる。
【００２８】
図３Ａ〜３Ｅの様々な例において、増幅トランジスタは、ヘテロ接合バイポーラトランジスタ（ＨＢＴ）のようなバイポーラ接合トランジスタ（ＢＪＴ）として記載される。理解されることだが、本開示の一以上の特徴はまた、電界効果トランジスタ（ＦＥＴ）のような他のタイプのトランジスタにおいて又は当該トランジスタを使用して実装可能である。
【００２９】
図４は、ブースト変換器１２２を含む電力増幅システム１００のブロック図を例示する。いくつかの実施形態において、かかる電力増幅システムは、高電圧（ＨＶ）増幅能力を含み得る。電力増幅システムは、電力増幅器１３０と、電力増幅器１３０に供給電圧を与えるべく構成された供給システム１２０とを含む。電力増幅器１３０は、入力無線周波数信号を受信して当該入力無線周波数信号の増幅されたバージョンを、出力無線周波数信号として出力するべく構成される。供給システム１２０は、電池電圧（Ｖｂａｔｔ）を受けて電力増幅器１３０に供給電圧（Ｖｃｃ）を出力するべく構成される。供給システム１２０は、例えば、スイッチングモード電源（ＳＭＰＳ）を含み得る。供給システム１２０は、電池電圧よりも大きい（又は電池電圧と等しい）供給電圧を発生させるべく使用可能なブースト変換器１２２を含む。いくつかの実装において、供給システム１２０はさらに、例えば、電池電圧未満の供給電圧を発生させるべく使用可能な他のコンポーネントを含む。
【００３０】
供給システム１２０及び電力増幅器１３０は、供給システム制御コンポーネント１１２及び電力増幅器制御コンポーネント１１４を含む制御システム１１０によって制御される。制御システム１１０（例えば供給システム制御コンポーネント１１２）は、電力増幅器１３０に関連付けられたパラメータに基づいて供給電圧を調整する供給システム制御信号を当該供給システムに与えるべく構成される。具体的に、制御システム１１０は、電力増幅器１３０に関連付けられたパラメータに基づいて供給電圧を調整するブースト変換器制御信号をブースト変換器１２２に与えるべく構成される。
【００３１】
ブースト変換器制御信号は、基準電圧、デルタ信号、イネーブル信号、又は任意の他のデジタル若しくはアナログ信号とすることができる。例えば、ブースト変換器制御信号は基準電圧とすることができる。ブースト変換器１２２は、基準電圧の増加に応答して供給電圧を、当該供給電圧を増加させることにより調整するべく構成することができる。供給電圧の増加により、電力増幅器１３０のための付加的なヘッドルームが得られる。同様に、ブースト変換器１２２は、基準電圧の低下に応答して供給電圧を、当該供給電圧を低下させることにより調整するべく構成される。供給電圧の低下により、電力増幅器１３０の電力付加効率（ＰＡＥ）を改善することができる。
【００３２】
他例として、ブースト変換器制御信号はデルタ信号とすることができる。ブースト変換器１２２は、デルタ信号に応答して供給電圧を、当該供給電圧をプリセット量まで増加することにより調整するべく構成することができる。
【００３３】
いくつかの実装において、電力増幅器１３０に関連付けられたパラメータは、電力増幅器１３０のセンスされた条件を含む。いくつかの実装において、電力増幅器制御コンポーネント１１４（ひいては制御システム１１０）は、電力増幅器のセンスされた条件を検出するべく構成される。いくつかの実装において、制御システム１１０は、電力増幅器１３０のセンスされた条件を示す信号を受信するべく構成される。例えば、供給システム制御コンポーネント１１２は、電力増幅器のセンスされた条件を示す信号を電力増幅器制御コンポーネント１１４から受信することができる。他例として、制御システム１１０は、電力増幅器のセンスされた条件を示す信号を送受信器から受信することができる。いくつかの実装において、制御システム１１０は、センスされた電力増幅器１３０の条件に基づく信号を受信するべく構成することができる。
【００３４】
電力増幅器のセンスされた条件は、例えば、電力増幅器１３０の飽和条件とすることができる。電力増幅器１３０（又は電力増幅器１３０の一以上のトランジスタ）は、飽和して当該電力増幅器の線形性を低下させ得る。
【００３５】
いくつかの実装において、電力増幅器１３０に関連付けられたパラメータは電力増幅器１３０の動作モードを含み、ブースト変換器制御信号は、当該動作モードをサポートするブースト変換器１２２に与えられる。例えば、動作モードは、線形性増加モードとすることができる。線形性増加モードは、高電圧モード又は高出力電力モードとすることができる。
【００３６】
制御システム１１０（例えば電力増幅器制御コンポーネント１１４）は、電力増幅器制御信号を電力増幅器１３０に与えるべく構成される。電力増幅器制御信号は、電力増幅器１３０（又は電力増幅器１３０の一以上のトランジスタ）にバイアスをかけるバイアス信号（例えばバイアス電圧又はバイアス電流）、イネーブル信号、又は任意の他のデジタル若しくはアナログ信号とすることができる。
【００３７】
入力電圧（例えば電池により供給される電池電圧）をブーストする能力を有する（図４の電力増幅システム１００のような）電力増幅システムは、かかるブーストされた供給が利用可能な態様に柔軟性を与えることができる。いくつかの実施形態において、かかるブーストされた供給電圧は、基準電圧（Ｖｒｅｆ）のような制御入力に応じて可変とすることができる。したがって、ブーストされた供給電圧の当該可変的性質を、プログラム可能な供給電圧の実装を含む一定数の態様で利用することができる。
【００３８】
図５は、ＳＭＰＳブースト変換器からのブーストされた出力電圧Ｖｏｕｔが基準電圧Ｖｒｅｆに比例し得る態様の一例を示す。利用可能な広い範囲のＶｏｕｔ（例えば電池電圧Ｖｂａｔｔから図示の例の少なくとも１１Ｖまで）が存在することがわかる。例えば、電力増幅器（例えば電力増幅器のトランジスタのコレクタ）に与えられる広い範囲の供給電圧Ｖｃｃが存在し得る。
【００３９】
可変Ｖｏｕｔの発生に関連する付加的な例は、２０１５年２月１５日出願の「多重モード電力管理に関するデバイスと方法」との名称の米国仮出願第６２／１１６，４５８号に記載されている。その開示は全体が、ここに明示的に参照として組み入れられる。
【００４０】
上記出願において、ブーストモード動作を含む代表的なＶｏｕｔの曲線は、電力増幅システム外部の（例えば送受信器からの）制御を必ずしも含むわけではない制御システムによって得られる。しかしながら、説明目的のため理解されることだが、可変のブーストされた出力Ｖｏｕｔは、外部制御機能を含んでも又は含まなくてもよい。
【００４１】
ブースト変換器からの広い範囲の供給電圧を与えることができる上記能力により、有益な電力増幅器性能改善を得るべくかかる能力を利用することができる。線形性が、かかる電力増幅器性能の一例である。様々な例が、線形性の文脈においてここに記載されるにもかかわらず、理解されることだが、供給電圧の当該可変的性質を利用することにより、他の電力増幅器関連性能も調整することができる。
【００４２】
注目されるのは、コレクタ／ドレイン電圧供給の利用可能レベルによって決定される振幅変調圧縮が、電力増幅器の非線形性を制約する場合が多いということである。かかる振幅変調圧縮は、無線の適合に要求される帯域内エラーベクトル振幅（ＥＶＭ）及びスペクトル再生の隣接チャネル漏洩電力比（ＡＣＬＲ）の線形性性能のような他のパラメータにも影響を与え、デュプレクスギャップが十分に小さな場合には受信器感度にさえも影響を与え得る。
【００４３】
図６は、ブースト変換器１０２からの可変供給電圧によって上記コレクタ供給電圧の制約が除去され又は実質的に緩和され得る態様の一例を示す。かかるブースト変換器は、供給電圧Ｖｃｃを発生させて電力増幅器に与えることにより、当該電力増幅器が改善された線形性で動作可能となるように示される。
【００４４】
例えば、ブースト変換器１０２を使用して、所与レベルの線形性を達成するべく公称最適値Ｖｃｃｎｏｍを電力増幅器に与えることができる。しかしながら、（例えば大きな包絡線（１１０）振幅を有する）付加的な線形性が所望される場合、高い供給電圧レベルを設定することにより、大きなヘッドルーム、ひいては良好な線形性が得られる。かかるヘッドルームの増加は、ＤＣ消費及び効率性能の劣化をもたらし得るが、かかる代償を被るのは、高レベルの放射及び線形性性能を含む動作状況のみである。
【００４５】
図６の例では、上記増加したヘッドルームは、Ｖｃｃを公称値Ｖｃｃｎｏｍから量ΔＶだけ増加させ、増加供給電圧Ｖｃｃｎｏｍ＋ΔＶを与えることによって達成することができる。増加量ΔＶは、代表的な包絡線１１０によって描かれる高放射レベルに適応させるべく選択することができる。いくつかの実施形態において、ブースト変換器によるＶｃｃ発生に関連する動作は、Ｖｃｃｎｏｍ及びΔＶのいずれか又は双方に関連付けられた値に対してプログラムすることができる。
【００４６】
ブースト変換器のプログラム動作によってＶｃｃを増加させ得る上記例は、ブースト変換器の出力が一定の電力増幅器関連パラメータに基づいて調整可能となる一般的概念の一例である。
【００４７】
図７は、対応電力増幅器に対する所望の結果を達成するように、かかるブースト変換器を動作させるべく実装可能なプロセス２００を示す。ブロック２０２において、電力増幅器パラメータを代表する入力を受信することができる。ブロック２０４において、ブースト変換器の出力を変更する指令を、当該入力に基づいて発生させることができる。ブロック２０６において、当該指令を代表する信号を、ブースト変換器へとその出力を調整するべく送信することができる。
【００４８】
いくつかの実施形態において、上記プロセスは、ブースト変換器が一定のセンスされた電力増幅器条件に応答可能となるように実装可能である。図８は、かかる応答を実行するべく実装可能なプロセス２１０を示す。ブロック２１２において、電力増幅器条件を検出することができる。ブロック２１４において、当該検出された条件に応答してブースト変換器の出力を変更する指令を発生させることができる。ブロック２１６において、当該指令を代表する信号をブースト変換器へと、その出力を調整するべく送信することができる。
【００４９】
とりわけ、一定のセンスされた電力増幅器条件へのブースト変換器の上記応答に関する例は、２０１４年１２月３０日出願の「電力増幅器電圧調整による圧縮制御」との名称の米国仮出願第６２／０９７，９４１号に記載されている。その開示は全体が、ここに明示的に参照として組み入れられる。
【００５０】
図９は、図７のプロセス２００の具体例として実装可能なプロセス２２０を示す。図９のプロセス２２０では、ブースト変換器の動作は、必ずしも一定の入力に対して自動的に応答するわけではない。むしろ、ブースト変換器の出力の変更が、例えばプログラムされた変更として実装される。決定ブロック２２２において、プロセス２２０は、モード変更が所望されるか否かを決定することができる。Ｙｅｓであれば、ブロック２２４のプロセス２２０は、当該モード変更をサポートするべくブースト変換器の出力を変更する指令を発生させることができる。ブロック２２６において、当該指令を代表する信号を、ブースト変換器へとその出力を調整するべく送信することができる。
【００５１】
図１０は、線形性制御の代表的な文脈において図９のプロセス２２０の具体例として実装可能なプロセス２３０を示す。決定ブロック２３２において、プロセス２３０は、線形性性能の変更が所望されるか否かを決定することができる。Ｙｅｓの場合、ブロック２３４のプロセス２３０は、供給電圧Ｖｃｃの割増ヘッドルームΔＶの量を変更するべく、ブースト変換器の出力を変更する指令を発生させることができる。ブロック２３６において、当該指令に基づいて、ブースト変換器のための基準電圧を発生させることができる。ブロック２３８において、基準電圧は、ブースト変換器へとその出力を調整するべく与えることができる。
【００５２】
いくつかの実施形態において、図７〜１０を参照して記載された代表的なプロセスのいくつか又はすべては、制御システム（例えば図４の１１０）によって実行及び／又は促進することができる。
【００５３】
図１１は、いくつかの実施形態において、ここに記載されたブースト変換器関連機能のいくつか又はすべてが一モジュールに実装できることを示す。かかるモジュールは、例えばフロントエンドモジュール（ＦＥＭ）とすることができる。図１１の例において、モジュール３００はパッケージング基板３０２を含み得る。かかるパッケージング基板には一定数のコンポーネントが搭載され得る。例えば、ＦＥ−ＰＭＩＣコンポーネント３０４、電力増幅器アセンブリ３０６、整合コンポーネント３０８及びデュプレクサアセンブリ３１０を、パッケージング基板３０２上に及び／又はパッケージング基板３０２内に搭載及び／又は実装可能である。一定数のＳＭＴデバイス３１４及びアンテナスイッチモジュール（ＡＳＭ）３１２のような他のコンポーネントもまた、パッケージング基板３０２に搭載することができる。ここに記載される一以上の特徴を有する制御システム１０４は、ＦＥ−ＰＭＩＣコンポーネント３０４及び電力増幅器アセンブリ３０６のいずれか又は双方の一部として実装可能である。様々なコンポーネントのすべてがパッケージング基板３０２上にレイアウトされるように描かれるにもかかわらず、何らかのコンポーネント（複数可）が、他のコンポーネント（複数可）の上に実装できることが理解される。
【００５４】
いくつかの実装において、ここに記載される一以上の特徴を有するデバイス及び／又は回路は、無線デバイスのようなＲＦデバイスに含めることができる。かかるデバイス及び／又は回路は、ここに記載されるモジュラー形態で、又はその何らかの組み合わせで無線デバイスに直接実装可能である。いくつかの実施形態において、かかる無線デバイスは、例えば、セルラー電話、スマートフォン、電話機能あり又はなしのハンドヘルド無線デバイス、無線タブレット等を含み得る。
【００５５】
図１２は、ここに記載される一以上の有利な特徴を有する代表的な無線デバイス４００を描く。ここに記載される一以上の特徴を有するモジュールの文脈において、かかるモジュールは一般に、破線枠３００によって描くことができ、例えばフロントエンドモジュール（ＦＥＭ）として実装可能である。かかるモジュールは、ここに記載される一以上の特徴を有する制御システム１０４を含み得る。
【００５６】
図１２を参照すると、電力増幅器（ＰＡ）４２０は、増幅及び送信対象のＲＦ信号を発生させるべくかつ受信した信号を処理するべく周知の態様で構成かつ動作し得る送受信器４１０から対応ＲＦ信号を受信することができる。送受信器４１０は、ユーザに適したデータ及び／又は音声信号と送受信器４１０に適したＲＦ信号との間の変換を与えるべく構成されたベース帯域サブシステム４０８と相互作用をするように示される。送受信器４１０はまた、無線デバイス４００の動作を目的として電力を管理するべく構成された電力管理コンポーネント４０６と通信することができる。かかる電力管理はまた、ベース帯域サブシステム４０８及びモジュール３００の動作を制御することもできる。
【００５７】
ベース帯域サブシステム４０８は、ユーザに与えられ及びユーザから受けた音声及び／又はデータの様々な入出力を容易にするべく、ユーザインタフェイス４０２に接続されるように示される。ベース帯域サブシステム４０８はまた、無線デバイスの動作を容易にし及び／又はユーザのための情報記憶を与えるデータ及び／又は命令を記憶するべく構成されたメモリ４０４に接続することもできる。
【００５８】
代表的な無線デバイス４００において、ＰＡ４２０の出力は、（対応整合回路４２２を介して）対応デュプレクサ４２０に整合され及び引き回されるように示される。かかる増幅されかつフィルタリングされた信号は、送信を目的としてアンテナスイッチ４１４を介してアンテナ４１６へと引き回すことができる。いくつかの実施形態において、デュプレクサ４２０により、共通アンテナ（例えば４１６）を使用して送受信動作を同時に行うことができる。図１２において、受信された信号は、例えば低雑音増幅器（ＬＮＡ）を含み得る「Ｒｘ」経路（図示せず）へと引き回されるように示される。
【００５９】
一定数の他の無線デバイス構成も、ここに記載される一以上の特徴を利用することができる。例えば、無線デバイスは、多重帯域デバイスである必要はない。他例において、無線デバイスは、ダイバーシティアンテナのような付加アンテナ、並びに、Ｗｉ−Ｆｉ（登録商標）、Ｂｌｕｅｔｏｏｔｈ（登録商標）及びＧＰＳのような付加的な接続機能を含み得る。
【００６０】
本開示は、様々な特徴を記載するが、その単一の特徴のみがここに記載される利益に対する責任を負うわけではない。理解されることだが、ここに記載される様々な特徴は、当業者にとって明らかなように結合し、修正し、又は省略することができる。ここに具体的に記載されるもの以外のコンビネーション及びサブコンビネーションも、当業者にとって明らかであって、本開示の一部を形成することが意図される。様々な方法が、様々なフローチャートステップ及び／又はフェーズに関連してここに記載される。理解されることだが、多くの場合、一定のステップ及び／又はフェーズは、フローチャートに示される多重のステップ及び／又はフェーズが単一のステップ及び／又はフェーズとして行うことができるように、一緒に組み合わせることができる。さらに、一定のステップ及び／又はフェーズは、別個に行うべく付加的なサブコンポーネントに分解することもできる。いくつかの例において、ステップ及び／又はフェーズの順序は再配列することができ、一定のステップ及び／又はフェーズを完全に省略することもできる。さらに、ここに記載される方法は、ここに図示され及び記載されるものに対する付加的なステップ及び／又はフェーズも行うことができるような、オープンエンドとして理解される。
【００６１】
ここに記載されるシステム及び方法のいくつかの側面は有利なことに、例えば、コンピュータソフトウェア、ハードウェア、ファームウェア、又はコンピュータソフトウェア、ハードウェア及びファームウェアの任意の組み合わせを使用して実装可能である。コンピュータソフトウェアは、実行時にここに記載の機能を行う、コンピュータ可読媒体（例えば非一時的コンピュータ可読媒体）に記憶されたコンピュータ実行可能コードを含み得る。いくつかの実施形態において、コンピュータ実行可能コードは、一以上の汎用コンピュータプロセッサによって実行される。当業者であれば、本開示に照らし、汎用コンピュータにおいて実行されるソフトウェアを使用して実装可能な任意の特徴又は機能が、ハードウェア、ソフトウェア又はファームウェアの異なる組み合わせを使用しても実装可能であることがわかる。例えば、かかるモジュールは、集積回路の組み合わせを使用して完全にハードウェア実装可能である。代替的に又は付加的に、かかる特徴又は機能は、汎用コンピュータによらず、ここに記載される特定の機能を実行するべく設計された専用コンピュータを使用して完全に又は部分的に実装可能である。
【００６２】
多重分散されたコンピューティングデバイスを、ここに記載される任意の一つのコンピューティングデバイスの代わりに用いることができる。かかる分散された実施形態においては、分散されたコンピューティングデバイスのそれぞれにおいていくつかの機能が行われるように、一つのコンピューティングデバイスの機能が（例えばネットワークを介して）分散される。
【００６３】
いくつかの実施形態は、式、アルゴリズム、及び／又はフローチャートの例示を参照して記載することができる。これらの方法は、一以上のコンピュータにおいて実行可能なコンピュータプログラム命令を使用して実装可能である。これらの方法はまた、別個に又は装置若しくはシステムの一コンポーネントとしてのいずれかでコンピュータプログラム製品として実装可能である。この点において、式、アルゴリズム、ブロック、又はフローチャートのステップ、及びこれらの組み合わせのそれぞれを、コンピュータ可読プログラムコード論理に具体化された一以上のコンピュータプログラム命令を含むハードウェア、ファームウェア及び／又はソフトウェアによって実装することができる。わかることだが、かかるコンピュータプログラム命令はいずれも、コンピュータ（複数可）又は他のプログラム可能処理デバイス（複数可）において実行されるコンピュータプログラム命令が、式、アルゴリズム及び／又はフローチャートに特定される機能を実装するように、制約なしに汎用コンピュータ若しくは専用コンピュータ、又は機械をもたらす他のプログラム可能処理装置を含む一以上のコンピュータにロードすることができる。またも理解されることだが、式、アルゴリズム、及び／又はフローチャートのブロックの例示、並びにこれらの組み合わせのそれぞれは、特定の機能若しくはステップ、又は専用ハードウェアとコンピュータ可読プログラムコード論理手段との組み合わせを行う専用ハードウェア系コンピュータシステムによって実装することができる。
【００６４】
さらに、コンピュータ可読プログラムコード論理に具体化されるコンピュータプログラム命令はまた、コンピュータ可読メモリ（例えば非一時的コンピュータ可読媒体）に記憶させることができる。当該コンピュータ可読メモリは、コンピュータ可読メモリに記憶された命令がフローチャート（複数可）のブロック（複数可）に特定された機能（複数可）を実装するように、一以上のコンピュータ又は他のプログラム可能処理デバイスを特定の態様で機能させることができる。コンピュータプログラム命令はまた、一以上のコンピュータ又は他のプログラム可能コンピューティングデバイスにロードされて当該一以上のコンピュータ又は他のプログラム可能コンピューティングデバイスにおいて一連の動作ステップを実行させることにより、当該コンピュータ又は他のプログラム可能処理装置において実行される命令が、式（複数可）、アルゴリズム（複数可）、及び／又はフローチャート（複数可）ブロック（複数可）に特定される機能を実装するためのステップを与えるようにコンピュータ実装プロセスをもたらすことができる。
【００６５】
ここに記載される方法及びタスクのいくつか又はすべては、コンピュータシステムによって行われ及び完全に自動化することができる。コンピュータシステムは、いくつかの場合において、記載の機能を行うべくネットワークを介して通信し及び相互運用される多数の別個のコンピュータ又はコンピューティングデバイス（例えば物理的サーバ、ワークステーション、記憶アレイ等）を含み得る。かかるコンピューティングデバイスはそれぞれが典型的に、メモリ又は他の非一時的コンピュータ可読記憶媒体若しくはデバイスに記憶されたプログラム命令又はモジュールを実行するプロセッサ（又は多重プロセッサ）を含む。ここに開示される様々な機能は、かかるプログラム命令に具体化することができる。ただし、開示の機能のいくつか又はすべては代替的に、コンピュータシステムの特定用途向け回路（例えばＡＳＩＣ又はＦＰＧＡ）に実装することができる。コンピュータシステムが多重コンピューティングデバイスを含む場合、これらのデバイスは同じ場所に設置することもできるが、必ずしもその必要があるわけではない。開示の方法及びタスクの結果は、半導体メモリチップ及び／又は磁気ディスクのような物理的記憶デバイスを異なる状態に変換することよって永続的に記憶することができる。
【００６６】
本明細書及び特許請求の範囲全体にわたり、文脈上そうでないことが明らかでない限り、「含む」等の用語は、排他的又は網羅的な意味とは反対の包括的意味に、すなわち「〜を含むがこれらに限られない」との意味に解釈すべきである。ここで一般に使用される用語「結合」は、直接接続されるか又は一以上の中間要素を介して接続されるかいずれかとなり得る２以上の要素を言及する。加えて、用語「ここ」、「上」、「下」及び類似の趣旨の用語は、本願において使用される場合、本願全体を言及し、本願の任意の特定部分を言及するわけではない。文脈が許容する場合、単数又は複数を使用する上述の詳細な説明における用語はそれぞれ、複数又は単数をも含み得る。２以上の項目のリストを参照する用語「又は」及び「若しくは」について、当該用語は以下の解釈のすべてをカバーする。すなわち、当該リストの任意の項目、当該リストのすべての項目、及び当該リストの項目の任意の組み合わせである。用語「代表的」は、ここでは専ら「一例又は一例示として機能する」ことを意味するべく使用される。「代表的」としてここに記載される任意の実装は必ずしも、他の実装に対して好ましい又は有利として解釈されるわけではない。
【００６７】
本開示は、ここに示される実装に制限されることを意図しない。本開示に記載される実装に対する様々な修正は、当業者にとって容易にわかるものであり、ここに画定される一般的な原理は、本開示の要旨又は範囲を逸脱することなく他の実装に対しても適用することができる。ここに与えられる本発明の教示は、他の方法及びシステムに対しても適用可能であり、上述の方法及びシステムに制限されるわけではなく、上述の様々な実施形態の要素及び行為は、さらなる実施形態を与えるべく組み合わせることができる。したがって、ここに記載される新規な方法及びシステムは、様々な他の形態で具体化することができる。さらに、ここに記載される方法及びシステムの形態において様々な省略、置換及び変更を、本開示の要旨から逸脱することなく行うことができる。添付の特許請求の範囲及びその均等物が、本開示の範囲及び要旨に収まるかかる形態又は修正をカバーすることが意図される。
【図１】
2018160925.tif 000003
【図２】
2018160925.tif 000004
【図３】
2018160925.tif 000005
【図４】
2018160925.tif 000006
【図５】
2018160925.tif 000007
【図６】
2018160925.tif 000008
【図７】
2018160925.tif 000009
【図８】
2018160925.tif 000010
【図９】
2018160925.tif 000011
【図１０】
2018160925.tif 000012
【図１１】
2018160925.tif 000013
【図１２】
2018160925.tif 000014
【手続補正書】
【提出日】平成30年6月18日(2018.6.18)
【手続補正１】
【補正対象書類名】特許請求の範囲
【補正対象項目名】全文
【補正方法】変更
【補正の内容】
【特許請求の範囲】
【請求項１】
電力増幅システムであって、
電力増幅器と、
前記電力増幅器に第１供給電圧又は第２供給電圧を与えるべく構成されたブースト変換器と、
前記電力増幅器に関連付けられたパラメータに基づいて前記第１供給電圧又は前記第２供給電圧を選択するブースト変換器制御信号を前記ブースト変換器に与えるべく構成された制御システムと
を含み、
前記第１供給電圧は第１レベルの線形性を達成するべく構成され、
前記第２供給電圧は、前記第１レベルの線形性よりも高くかつＤＣ消費及び効率性能の劣化をもたらす程度の第２レベルの線形性を達成するべく構成される電力増幅システム。
【請求項２】
前記パラメータは、前記電力増幅器のセンスされた条件を含む請求項１の電力増幅システム。
【請求項３】
前記制御システムは、前記電力増幅器のセンスされた条件を検出するべく構成される請求項２の電力増幅システム。
【請求項４】
前記制御システムは、前記電力増幅器のセンスされた条件を示す信号を受信するべく構成される請求項２の電力増幅システム。
【請求項５】
前記電力増幅器のセンスされた条件は、前記電力増幅器が飽和していることを示す請求項２の電力増幅システム。
【請求項６】
前記ブースト変換器制御信号は、前記第１供給電圧を選択するための第１基準電圧、又は前記第２供給電圧を選択するための第２基準電圧の一方を含む請求項１の電力増幅システム。
【請求項７】
前記ブースト変換器制御信号は、前記第２供給電圧を選択するためのデジタルデルタ信号を含む請求項１の電力増幅システム。
【請求項８】
前記第２供給電圧により、前記電力増幅器のための付加的なヘッドルームが得られる請求項１の電力増幅システム。
【請求項９】
前記制御システムはさらに、前記電力増幅器に電力増幅器制御信号を与えるべく構成される請求項１の電力増幅システム。
【請求項１０】
前記電力増幅器制御信号は、バイアス電圧又はイネーブル信号の少なくとも一つを含む請求項９の電力増幅システム。
【請求項１１】
前記パラメータは前記電力増幅器の動作モードを含み、
前記ブースト変換器制御信号は、前記動作モードをサポートする前記ブースト変換器に与えられる請求項１の電力増幅システム。
【請求項１２】
前記動作モードは線形性増加モードを含む請求項１１の電力増幅システム。
【請求項１３】
前記線形性増加モードは、高電圧モード又は高出力電力モードの少なくとも一つを含む請求項１２の電力増幅システム。
【請求項１４】
前記ブースト変換器は電池電圧により電力を受け、
前記第２供給電圧は前記電池電圧よりも大きい請求項１の電力増幅システム。
【請求項１５】
無線周波数（ＲＦ）モジュールであって、
複数のコンポーネントを受容するべく構成されたパッケージング基板と、
前記パッケージング基板に実装された電力増幅システムと
を含み、
前記電力増幅システムは、
電力増幅器と、
前記電力増幅器に第１供給電圧又は第２供給電圧を与えるべく構成されたブースト変換器と
を含み、
前記電力増幅システムはさらに、前記電力増幅器に関連付けられたパラメータに基づいて前記第１供給電圧又は前記第２供給電圧を選択するブースト変換器制御信号を前記ブースト変換器に与えるべく構成された制御システムを含み、
前記第１供給電圧は第１レベルの線形性を達成するべく構成され、
前記第２供給電圧は、前記第１レベルの線形性よりも高くかつＤＣ消費及び効率性能の劣化をもたらす程度の第２レベルの線形性を達成するべく構成されるＲＦモジュール。
【請求項１６】
前記ＲＦモジュールはフロントエンドモジュール（ＦＥＭ）である請求項１５のＲＦモジュール。
【請求項１７】
無線デバイスであって、
無線周波数（ＲＦ）信号を発生させるべく構成された送受信器と、
前記送受信器と通信するフロントエンドモジュール（ＦＥＭ）と、
前記ＦＥＭと通信するアンテナと
を含み、
前記ＦＥＭは、複数のコンポーネントを受容するべく構成されたパッケージング基板を含み、
前記ＦＥＭはさらに、前記パッケージング基板に実装された電力増幅システムを含み、
前記電力増幅システムは、前記ＲＦ信号を増幅するべく構成された電力増幅器を含み、
前記電力増幅システムはさらに、前記電力増幅器に第１供給電圧又は第２供給電圧を与えるべく構成されたブースト変換器を含み、
前記電力増幅システムはさらに、
前記電力増幅器に関連付けられたパラメータに基づいて前記第１供給電圧又は前記第２供給電圧を選択するブースト変換器制御信号を前記ブースト変換器に与えるべく構成された制御システムを含み、
前記第１供給電圧は第１レベルの線形性を達成するべく構成され、
前記第２供給電圧は、前記第１レベルの線形性よりも高くかつＤＣ消費及び効率性能の劣化をもたらす程度の第２レベルの線形性を達成するべく構成され、
前記アンテナは、増幅されたＲＦ信号を送信するべく構成される無線デバイス。
【請求項１８】
前記制御システムは、前記電力増幅器のセンスされた条件を検出し、前記センスされた条件に基づいて前記ブースト変換器制御信号を発生させるべく構成される請求項１７の無線デバイス。
【請求項１９】
前記送受信器は、前記電力増幅器のセンスされた条件を示す信号を受信し、前記センスされた条件に基づく送受信器制御信号を前記制御システムへと送信するべく構成され、
前記制御システムは、前記送受信器制御信号に基づいて前記ブースト変換器制御信号を発生させるべく構成される請求項１７の無線デバイス。
【請求項２０】
前記電力増幅器のセンスされた条件は、前記電力増幅器が飽和していることを示す請求項１８の無線デバイス。
【請求項２１】
前記第２供給電圧により、前記電力増幅器のための付加的なヘッドルームが得られる請求項１８の無線デバイス。
【外国語明細書】
2018160925000001.pdf